(57)【特許請求の範囲】
【請求項１】
上部に開口部が設けられた容器本体と、
前記開口部を開閉する蓋体とを備え、
前記蓋体は、前記容器本体の外周部に着脱自在に取り付けられる外蓋と、
前記外蓋の内周部に着脱自在に取り付けられると共に、前記開口部から前記容器本体の内側に嵌め込まれた状態で前記開口部を閉塞する内蓋と、
前記外蓋又は前記内蓋に着脱自在に取り付けられると共に、前記内蓋の内側に嵌め込まれた状態で前記外蓋の上面開口部を覆う天蓋と、
前記内蓋の外周部に位置して、前記容器本体と前記内蓋との間を密閉するシール部材と、
前記天蓋の底面部に位置して、前記内蓋の底面部に設けられた空気孔を閉塞する栓体とを有することを特徴とする蓋付き容器。
【請求項２】
前記外蓋と前記内蓋との間には、前記外蓋の内側に前記内蓋を着脱自在に取り付けるための脱着機構が設けられ、
前記脱着機構は、前記内蓋側に設けられたフック片が、前記外蓋側に設けられた被係止部に係止されることによって、前記外蓋の内側に前記内蓋が着脱自在に取り付けられる構造を有することを特徴とする請求項１に記載の蓋付き容器。
【請求項３】
前記脱着機構は、前記外蓋の内側に前記内蓋が取り付けられた状態において、前記外蓋側に設けられた回り止め突部が、前記内蓋側に設けられたスリットに係合されることによって、前記外蓋に対して前記内蓋が中心軸回りに回転することを規制する構造を有することを特徴とする請求項２に記載の蓋付き容器。
【請求項４】
前記外蓋は、前記容器本体の外周部に螺合により取り付けられ、
前記天蓋は、前記内蓋の内周部に螺合により取り付けられていることを特徴とする請求項１〜３の何れか一項に記載の蓋付き容器。
【請求項５】
前記天蓋と前記内蓋との何れか一方側に雄ネジ部と、何れか他方側に雌ネジ部とが設けられ、
前記雄ネジ部と前記雌ネジ部との螺合により、前記内蓋に対して前記天蓋が取り付けられた状態において、前記内蓋に対して前記天蓋を固定するストッパー機構が設けられていることを特徴とする請求項４に記載の蓋付き容器。
【請求項６】
前記ストッパー機構は、前記雄ネジ部と前記雌ネジ部との何れか一方側に係合凸部と、何れか他方側に係合凹部とを有し、
前記栓体が前記空気孔を閉塞した後に、前記係合凸部と前記係合凹部との係合によって、前記内蓋に対して前記天蓋が締切位置に止め合わされることを特徴とする請求項５に記載の蓋付き容器。
【請求項７】
前記ストッパー機構は、前記雌ネジ部と前記雄ネジ部との何れか一方を形成するネジ山の終端側にストッパーを有し、
前記雄ネジ部と前記雌ネジ部との螺合が完了したときに、前記雌ネジ部と前記雄ネジ部との何れか他方を形成するネジ山の始端側が前記ストッパーに当接されることによって、前記内蓋に対して前記天蓋が回り止めされることを特徴とする請求項５又は６に記載の蓋付き容器。
【請求項８】
前記蓋体は、前記天蓋の底面部に着脱自在に取り付けられる弾性部材を有し、
前記栓体は、前記弾性部材に設けられた突起部であり、この突起部が前記内蓋の底面部に当接されることによって前記空気孔を閉塞することを特徴とする請求項１〜７の何れか一項に記載の蓋付き容器。
【請求項９】
前記蓋体は、前記内蓋の底面部に設けられた取付孔に着脱自在に取り付けられると共に、前記空気孔が設けられた弾性部材を有し、
前記栓体は、前記天蓋の底面部に設けられた突起部であり、この突起部が前記弾性部材に当接されることによって前記空気孔を閉塞することを特徴とする請求項１〜７の何れか一項に記載の蓋付き容器。
【請求項１０】
前記容器本体は、真空断熱構造を有することを特徴とする請求項１〜９の何れか一項に記載の蓋付き容器。
【発明の詳細な説明】
【技術分野】
【０００１】
本発明は、蓋付き容器に関する。
【背景技術】
【０００２】
例えば、真空断熱構造を有する容器本体によって保温・保冷機能を持たせた蓋付き容器がある（例えば、特許文献１，２を参照。）。このような蓋付き容器では、内蓋及び外蓋を用いて容器本体に設けられた開口部を密閉する構造が採用されている。
【０００３】
具体的に、蓋付き容器は、上部に開口部が設けられた容器本体と、開口部から容器本体の内側に嵌め込まれた状態で開口部を閉塞する内蓋と、内蓋に取り付けられた状態で容器本体と内蓋との間を密閉する止水パッキン（シール部材）と、開口部を外側から覆った状態で容器本体に螺合により装着される外蓋とを備えている。また、外蓋は、容器本体に装着されたときに内蓋と当接されることによって、内蓋の上方側への移動を規制している。
【０００４】
また、蓋付き容器は、内蓋に設けられた空気孔を外蓋に設けられた閉塞パッキン（栓体）が閉塞する構造となっている。蓋付き容器では、容器本体から外蓋を取り外す際に、閉塞パッキンによる空気孔の閉塞が解除される。これにより、容器本体内の圧力が低下した（負圧となった）場合でも、容器本体から外蓋を取り外したときに空気孔を通して外気が導入されるため、容器本体内の圧力が大気圧と同じとなる。したがって、内蓋が容器本体の内側に引っ張られることなく、内蓋を容器本体から容易に取り外すことが可能である。
【先行技術文献】
【特許文献】
【０００５】
【特許文献１】特開２００９−２０１８５７号公報
【特許文献２】特開２０１３−２２７０３４号公報
【発明の概要】
【発明が解決しようとする課題】
【０００６】
しかしながら、従来の蓋付き容器では、例えば容器本体の内部に高温の内容物を入れたときに、内蓋及び外蓋により密閉された容器本体内の圧力が上昇する（陽圧となる）のに伴って、内蓋が外蓋に押し付けられた状態となる。このとき、容器本体と外蓋との間で螺合による締結力が増すことによって、外蓋を取り外す方向に回しづらくなることがあった。また、外蓋を取り外した際に、容器本体内の圧力が一気に開放されて大きな音が鳴ることがあった。
【０００７】
本発明は、このような従来の事情に鑑みて提案されたものであり、容器本体内の圧力が上昇した場合でも、蓋体を容易に且つ安全に取り外すことができる蓋付き容器を提供することを目的とする。
【課題を解決するための手段】
【０００８】
上記目的を達成するために、本発明は以下の手段を提供する。
〔１〕  上部に開口部が設けられた容器本体と、
前記開口部を開閉する蓋体とを備え、
前記蓋体は、前記容器本体の外周部に着脱自在に取り付けられる外蓋と、
前記外蓋の内周部に着脱自在に取り付けられると共に、前記開口部から前記容器本体の内側に嵌め込まれた状態で前記開口部を閉塞する内蓋と、
前記外蓋又は前記内蓋に着脱自在に取り付けられると共に、前記内蓋の内側に嵌め込まれた状態で前記外蓋の上面開口部を覆う天蓋と、
前記内蓋の外周部に位置して、前記容器本体と前記内蓋との間を密閉するシール部材と、
前記天蓋の底面部に位置して、前記内蓋の底面部に設けられた空気孔を閉塞する栓体とを有することを特徴とする蓋付き容器。
〔２〕  前記外蓋と前記内蓋との間には、前記外蓋の内側に前記内蓋を着脱自在に取り付けるための脱着機構が設けられ、
前記脱着機構は、前記内蓋側に設けられたフック片が、前記外蓋側に設けられた被係止部に係止されることによって、前記外蓋の内側に前記内蓋が着脱自在に取り付けられる構造を有することを特徴とする前記〔１〕に記載の蓋付き容器。
〔３〕  前記脱着機構は、前記外蓋の内側に前記内蓋が取り付けられた状態において、前記外蓋側に設けられた回り止め突部が、前記内蓋側に設けられたスリットに係合されることによって、前記外蓋に対して前記内蓋が中心軸回りに回転することを規制する構造を有することを特徴とする前記〔２〕に記載の蓋付き容器。
〔４〕  前記外蓋は、前記容器本体の外周部に螺合により取り付けられ、
前記天蓋は、前記内蓋の内周部に螺合により取り付けられていることを特徴とする前記〔１〕〜〔３〕の何れか一項に記載の蓋付き容器。
〔５〕  前記天蓋と前記内蓋との何れか一方側に雄ネジ部と、何れか他方側に雌ネジ部とが設けられ、
前記雄ネジ部と前記雌ネジ部との螺合により、前記内蓋に対して前記天蓋が取り付けられた状態において、前記内蓋に対して前記天蓋を固定するストッパー機構が設けられていることを特徴とする前記〔４〕に記載の蓋付き容器。
〔６〕  前記ストッパー機構は、前記雄ネジ部と前記雌ネジ部との何れか一方側に係合凸部と、何れか他方側に係合凹部とを有し、
前記栓体が前記空気孔を閉塞した後に、前記係合凸部と前記係合凹部との係合によって、前記内蓋に対して前記天蓋が締切位置に止め合わされることを特徴とする前記〔５〕に記載の蓋付き容器。
〔７〕  前記ストッパー機構は、前記雌ネジ部と前記雄ネジ部との何れか一方を形成するネジ山の終端側にストッパーを有し、
前記雄ネジ部と前記雌ネジ部との螺合が完了したときに、前記雌ネジ部と前記雄ネジ部との何れか他方を形成するネジ山の始端側が前記ストッパーに当接されることによって、前記内蓋に対して前記天蓋が回り止めされることを特徴とする前記〔５〕又は〔６〕に記載の蓋付き容器。
〔８〕  前記蓋体は、前記天蓋の底面部に着脱自在に取り付けられる弾性部材を有し、
前記栓体は、前記弾性部材に設けられた突起部であり、この突起部が前記内蓋の底面部に当接されることによって前記空気孔を閉塞することを特徴とする前記〔１〕〜〔７〕の何れか一項に記載の蓋付き容器。
〔９〕  前記蓋体は、前記内蓋の底面部に設けられた取付孔に着脱自在に取り付けられると共に、前記空気孔が設けられた弾性部材を有し、
前記栓体は、前記天蓋の底面部に設けられた突起部であり、この突起部が前記弾性部材に当接されることによって前記空気孔を閉塞することを特徴とする前記〔１〕〜〔７〕の何れか一項に記載の蓋付き容器。
〔１０〕  前記容器本体は、真空断熱構造を有することを特徴とする前記〔１〕〜〔９〕の何れか一項に記載の蓋付き容器。
【発明の効果】
【０００９】
以上のように、本発明によれば、容器本体内の圧力が上昇した場合でも、蓋体を容易に且つ安全に取り外すことができる蓋付き容器を提供することが可能である。
【図面の簡単な説明】
【００１０】
【図１】本発明の一実施形態に係る蓋付き容器を上方側から見た分解斜視図である。
【図２】図１に示す蓋付き容器の蓋体を下方側から見た分解斜視図である。
【図３】図１に示す蓋付き容器の側面図である。
【図４】図３中に示す線分Ａ−Ａ’による蓋付き容器の断面図である。
【図５】図１に示す蓋付き容器の変形例を示す要部断面図である。
【発明を実施するための形態】
【００１１】
以下、本発明の実施形態について、図面を参照して詳細に説明する。
本発明の一実施形態として、例えば図１〜図４に示す蓋付き容器１について説明する。なお、図１は、蓋付き容器１を上方側から見た分解斜視図である。図２は、図１に示す蓋付き容器１の蓋体３を下方側から見た分解斜視図である。図３は、図１に示す蓋付き容器１の側面図である。図４は、図３中に示す線分Ａ−Ａ’による蓋付き容器１の断面図である。
【００１２】
蓋付き容器１は、図１〜図４に示すように、真空断熱構造を有する容器本体２と、容器本体２の上部に設けられた開口部２ａを開閉する蓋体３とを備えている。なお、蓋付き容器１の外観形状については、特に限定されるものではない。例えば、本実施形態の蓋付き容器１は、全体として略円筒状の外観形状を有している。
【００１３】
容器本体２は、例えばステンレス鋼等からなる有底筒状の外容器４及び内容器５を有し、外容器４の内側に内容器５を収容した状態で互いの口元部を接合した二重構造の容器により構成されている。また、外容器４と内容器５との間には、真空断熱層６が設けられている。真空断熱層６は、例えば、高真空に減圧（真空引き）されたチャンバー内で、外容器４の底面中央部に設けられた脱気孔（図示せず。）を塞ぐことによって形成することができる。なお、容器本体２の外周面には、塗装や印刷等が施されていてもよい。
【００１４】
容器本体２は、略円形状の底面部２ｂと、底面部２ｂの外周から略円筒状に起立した胴部２ｃと、胴部２ｃの上部側において縮径された略円筒状の口頸部２ｄとを有している。口頸部２ｄの上端部は、容器本体２の口元部２ｅとして円形状の開口部２ａを形成している。また、口頸部２ｄと胴部２ｃとの間の内周面には、リング状の段差部７が全周に亘って突出して設けられている。
【００１５】
蓋体３は、容器本体２の外周部に着脱自在に取り付けられる外蓋８と、外蓋８の内周部に着脱自在に取り付けられる内蓋９と、内蓋９の内周部に着脱自在に取り付けられる天蓋１０とを有している。
【００１６】
外蓋８は、例えばポリプロピレン等の耐熱性樹脂からなり、略円筒状に形成されている。また、外蓋８の内周面には、リング状の内側フランジ部８ａが全周に亘って突出して設けられている。
【００１７】
外蓋８は、容器本体２の口頸部２ｄに螺合により取り付けられる。このため、外蓋８の内周面には、下端部と内側フランジ部８ａとの間に亘って雌ネジ部１１が設けられている。一方、口頸部２ｄの外周面には、雌ネジ部１１と螺合される雄ネジ部１２が設けられている。
【００１８】
内蓋９は、例えばポリプロピレン等の耐熱性樹脂からなる。内蓋９は、略円形状の底面部９ａと、底面部９ａの外周部から略円筒状に起立した周壁部９ｂとを有している。また、周壁部９ｂの外周面の上端側には、リング状の上側フランジ部９ｃが全周に亘って突出して設けられている。
【００１９】
外蓋８と内蓋９との間には、外蓋８の内側に内蓋９を着脱自在に取り付けるための脱着機構１３が設けられている。脱着機構１３は、内蓋９側に一対のフック片１４を有している。一対のフック片１４は、周壁部９ｂの相対向する位置から所定の幅を有して立設されている。また、フック片１４の幅方向の両側には、周壁部９ｂの上端を軸線方向に切り欠く一対のスリット１５が設けられている。これにより、フック片１４は、周壁部９ｂに連続してスリット１５の間から上方に向かって延長されると共に、先端側が縮径方向に弾性変形可能となっている。また、フック片１４の先端側の外周面には、爪部１４ａが突出して設けられている。
【００２０】
一方、脱着機構１３は、外蓋８側に一対の被係止部１６を有している。一対の被係止部１６は、内側フランジ部８ａの相対向する位置にある。また、被係止部１６の幅方向の両側には、内側フランジ部８ａの下端から軸線方向に突出された一対の回り止め突部１７が設けられている。すなわち、被係止部１６は、一対の回り止め突部１７の間にある内側フランジ部８ａにより構成されている。
【００２１】
脱着機構１３では、外蓋８の内側に内蓋９を下方側から嵌め込むことによって、内側フランジ部８ａに上側フランジ部９ｃが当接された状態となる。同時に、一対のフック片１４が弾性変形しながら、各フック片１４の爪部１４ａが各被係止部１６となる位置の内側フランジ部８ａに係止される。これにより、外蓋８の内側に内蓋９を取り付けることが可能である。一方、脱着機構１３では、各被係止部１６に対する爪部１４ａの係止状態を解除することによって、外蓋８の内側から内蓋９を取り外すことが可能である。
【００２２】
また、脱着機構１３では、外蓋８の内側に内蓋９が取り付けられた状態において、一対の回り止め突部１７が一対のスリット１５に係合される。これにより、外蓋８に対して内蓋９が中心軸回りに移動（回転）することを規制することができる。なお、このようなスリット１５及び回り止め突部１７は必ずしも必要な構成ではなく、これらの構成を省略し、外蓋８に対して内蓋９が中心軸回りに移動（回転）可能な構成とすることも可能である。
【００２３】
脱着機構１３を介して外蓋８に取り付けられた内蓋９は、外蓋８が容器本体２の口頸部２ｄに装着された際に、容器本体２の開口部２ａから口頸部２ｄの内側に嵌め込まれた状態で、容器本体２の開口部２ａを閉塞する。
【００２４】
内蓋９の外周部には、止水パッキン１８が着脱自在に取り付けられている。止水パッキン１８は、容器本体２と内蓋９との間を密閉するリング状のシール部材であり、例えばシリコーンゴム等の耐熱性を有するゴムやエラストマーなどの弾性部材からなる。
【００２５】
内蓋９には、周壁部９ｂの外周面の下端側からリング状に突出された下側フランジ部９ｄと、下側フランジ部９ｄの下端に沿ってリング状に切り欠かれた溝部９ｅとが設けられている。一方、止水パッキン１８の内周面には、内蓋９の溝部９ｅに嵌合されるリング状の突部１８ａと、内蓋９の底面部９ａに当接されるリング状の底面部１８ｂとが設けられている。
【００２６】
止水パッキン１８は、溝部９ｅに突部１８ａが嵌合されることによって、内蓋９に取り付けられている。一方、止水パッキン１８は、それ自体を弾性変形させる（引っ張り伸ばす）ことによって、溝部９ｅに対する突部１８ａの嵌合を解除し、内蓋９から取り外すことが可能である。これにより、内蓋９と止水パッキン１８とをそれぞれ別々に洗浄することができ、内蓋９と止水パッキン１８との間を衛生的に保つことができる。
【００２７】
止水パッキン１８の外周部には、内蓋９が容器本体２（口頸部２ｄ）の内側に嵌め込まれた際に、段差部７に接触するシール部１８ｃが設けられている。シール部１８ｃは、止水パッキン１８の外周面の下端部を下方に向かって肉薄にした形状を有している。
【００２８】
内蓋９に取り付けられた止水パッキン１８は、内蓋９が容器本体２（口頸部２ｄ）の内側に嵌め込まれた際に、シール部１８ｃが弾性変形しながら、段差部７に全周に亘って密着した状態となる。これにより、容器本体２と内蓋９との間を止水パッキン１８により密閉することができる。
【００２９】
天蓋１０は、例えばポリプロピレン等の耐熱性樹脂からなる。天蓋１０は、略円板状の天面部１０ａと、天面部１０ａの下面中央部から立ち下がる略円筒状の周壁部１０ｂと、周壁部１０ｂの底面を閉塞する底面部１０ｃとを有している。
【００３０】
天蓋１０では、周壁部１０ｂ及び底面部１０ｃが天面部１０ａを形成する部材とは別の部材により形成され、周壁部１０ｂが天面部１０ａの下面に超音波溶着等で一体に取り付けられた構成となっている。なお、天蓋１０では、このような構成に限らず、底面部１０ｃが天面部１０ａ及び周壁部１０ｂを形成する部材とは別の部材により形成され、底面部１０ｃが周壁部１０ｂの下面に一体に取り付けられた構成とすることも可能である。また、天蓋１０の内部は、断熱層として、空気や断熱材を配置した構成とすることも可能である。
【００３１】
天蓋１０は、内蓋９の内側に嵌め込まれた状態で外蓋８の上面開口部を覆うと共に、内蓋９に螺合により取り付けられる。このため、内蓋９（周壁部９ｂ）の内周面には、雌ネジ部１９が設けられている。一方、天蓋１０（周壁部１０ｂ）の外周面には、雌ネジ部１９と螺合される雄ネジ部２０が設けられている。また、天面部１０ａの上面には、天蓋１０を回し易くするための摘み部２１が設けられている。
【００３２】
雌ネジ部１９と雄ネジ部２０とは、互いに相補形を為す二条ネジからなる。二条ネジを用いた場合、内蓋９に対して天蓋１０を少ない回転操作（本実施形態では約１８０°）で着脱することが可能である。
【００３３】
具体的に、二条ネジでは、雌ネジ部１９と雄ネジ部２０との螺合の開始位置が２箇所存在しており、一方のネジ山１９ａ，２０ａと他方のネジ山１９ｂ，２０ｂとが所定ピッチで螺旋状に形成されると共に、一方のネジ山１９ａ，２０ａの始端と他方のネジ山１９ｂ，２０ｂの始端とが軸線回りに１８０゜の位相差を持って配置されている。
【００３４】
二条ネジでは、雌ネジ部１９と雄ネジ部２０とを螺合させながら、内蓋９に対して天蓋１０を一の方向（右回り）に回転させることによって、内蓋９に天蓋１０を取り付けることが可能である。一方、内蓋９に天蓋１０が取り付けられた状態から、内蓋９に対して天蓋１０を他の方向（左回り）に回転させることによって、雌ネジ部１９と雄ネジ部２０とを螺合を解除し、内蓋９から天蓋１０を取り外すことが可能である。
【００３５】
また、天蓋１０と内蓋９との間には、雌ネジ部１９と雄ネジ部２０との螺合が完了したときに内蓋９に対して天蓋１０を固定するストッパー機構２２が設けられている。ストッパー機構２２は、雄ネジ部２０側にストッパー２０ｃ及び係合凸部２０ｄと、雌ネジ部１９側に係合凹部１９ｃとを有している。ストッパー２０ｃは、雄ネジ部２０を形成するネジ山２０ａ，２０ｂの終端に位置している。係合凸部２０ｄは、雄ネジ部２０を形成するネジ山２０ａ，２０ｂのストッパー２０ｃの手前に位置している。係合凹部１９ｃは、雌ネジ部１９を形成するネジ山１９ａ，１９ｂの終端の手前に位置している。
【００３６】
ストッパー機構２２では、雌ネジ部１９と雄ネジ部２０との螺合に伴い、後述する弾性部材２５の突起部２５ａが内蓋９の空気孔２３と接触した後、係合凹部１９ｃに係合凸部２０ｄが係合されて止め合わされる。これにより、弾性部材２５の弾性を利用してクリック感を付与しながら、内蓋９に対して天蓋１０を締切位置に確実に止め合わせることが可能である。そして、雌ネジ部１９と雄ネジ部２０との螺合が完了したときに、雌ネジ部１９を形成するネジ山１９ａ，１９ｂの始端がストッパー２０ｃに当接されることによって、内蓋９に対して天蓋１０が回り止めされる。
【００３７】
なお、ストッパー機構２２では、上述した雄ネジ部２０を形成するネジ山２０ａ，２０ｂにストッパー２０ｃが設けられた構成に限らず、雌ネジ部１９を形成するネジ山１９ａ，１９ｂにストッパーが設けられた構成とすることも可能である。また、上述した雄ネジ部２０を形成するネジ山２０ａ，２０ｂに係合突部２０ｄが設けられ、雌ネジ部１９を形成するネジ山１９ａ，１９ｂに係合凹部１９ｃが設けられた構成に限らず、雄ネジ部２０を形成するネジ山２０ａ，２０ｂに係合凹部が設けられ、雌ネジ部１９を形成するネジ山１９ａ，１９ｂに係合凸部が設けられた構成とすることも可能である。
【００３８】
内蓋９には、底面部９ａの中央部分を貫通する空気孔２３が設けられている。一方、天蓋１０には、空気孔２３を閉塞する栓体２４が設けられている。栓体２４は、例えばシリコーンゴム等の耐熱性を有するゴムやエラストマーなどの弾性部材２５からなる。弾性部材２５は、中央部分を略ドーム状に膨出させた突起部２５ａと、突起部２５ａの周囲にリング状の溝部２５ｂを形成するように突起部２５ａとは反対側に向かって膨出された嵌合部２５ｃと、溝部２５ｂの周囲から拡径方向に延長された円板部２５ｄとを有している。
【００３９】
一方、天蓋１０には、底面部１０ｃの中央部分を嵌合部２５ｃの形状に合わせて凹ませた嵌合凹部２６が設けられている。そして、弾性部材２５は、この嵌合凹部２６に嵌合部２５ｃが嵌合されることによって、天蓋１０の底面部１０ｃに着脱自在に取り付けられている。
【００４０】
天蓋１０に取り付けられた弾性部材２５は、天蓋１０が内蓋９に取り付けられた際に、栓体２４となる突起部２５ａが弾性変形しながら内蓋９の底面部９ａに当接されることによって空気孔２３を閉塞する。また、弾性部材２５は、天蓋１０から取り外して、天蓋１０とは別々に洗浄できるため、この弾性部材２５と天蓋１０との間を衛生的に保つことが可能である。
【００４１】
以上のような構成を有する蓋付き容器１では、容器本体２内の圧力が上昇した（陽圧となった）ときに、容器本体２内の圧力上昇により内蓋９が外蓋８に押し付けられた状態となる。このとき、容器本体２（雄ネジ部１２）と外蓋８（雌ネジ部１１）との間で螺合による締結力が増すことによって、蓋体３（外蓋８）を取り外す方向に回しづらくなる。
【００４２】
この場合、天蓋１０を取り外す操作を行う。すなわち、蓋付き容器１では、天蓋１０を内蓋９から取り外す際に、空気孔２３に対する突起部２５ａの当接が解除されることによって、空気孔２３が開放された状態となる。これにより、空気孔２３を通して容器本体２内の圧力が開放されるため、容器本体２内の圧力が大気圧と同じとなる。したがって、内蓋９が外蓋８に押し付けられた状態が解除され、外蓋８を取り外す方向に容易に回すことが可能となる。その結果、蓋体３（外蓋８及び内蓋９）を容器本体２から容易に取り外すことが可能となる。
【００４３】
また、空気孔２３を閉塞する突起部２５ａに対して容器本体２内の圧力がかかる面積は、比較的小さいため、容器本体２内の圧力が上昇したとしても、天蓋１０が受ける力は小さい。これにより、容器本体２内の圧力が上昇した（陽圧となった）場合でも、天蓋１０を取り外す方向に容易に回すことができる。
【００４４】
同様に、容器本体２内の圧力が低下した（負圧となった）場合でも、天蓋１０を取り外すことによって、空気孔２３を通して容器本体２内の圧力が大気圧と同じとなる。したがって、内蓋９が容器本体２の内側に引っ張られることなく、蓋体３（外蓋８及び内蓋９）を容器本体２から容易に取り外すことが可能である。
【００４５】
なお、容器本体２内の圧力が上昇する（陽圧となる）場合としては、例えば、容器本体２の内部に高温の内容物を入れたときや、容器本体２内の内容物が腐敗してガスが発生したときなどを挙げることができる。一方、容器本体２内の圧力が低下する（負圧となる）場合としては、例えば、容器本体２の内部に高温の内容物を入れた後に、その内容物が冷めたときなどを挙げることができる。
【００４６】
以上のように、本発明によれば、容器本体２内の圧力が上昇した場合や容器本体２内の圧力が低下した場合でも、蓋体３を容易に且つ安全に取り外すことができる蓋付き容器１を提供することが可能である。
【００４７】
なお、本発明は、上記蓋付き容器１の構成に必ずしも限定されるものではなく、本発明の趣旨を逸脱しない範囲において種々の変更を加えることが可能である。
具体的に、上記蓋付き容器１では、内蓋９の底面部９ａに空気孔２３が設けられ、この空気孔２３を閉塞する栓体２４（弾性部材２５）が天蓋１０の底面部１０ｃに取り付けられた構成となっているが、このような構成に限らず、例えば図５に示すような構成とすることも可能である。なお、図５は、蓋付き容器１の変形例を示す要部断面図である。
【００４８】
すなわち、図５に示す構成は、内蓋９に底面部９ａの中央部分を貫通する取付孔２７を設け、この取付孔２７に弾性部材２８を着脱自在に取り付けた構成である。弾性部材２８の中央部には、空気孔２９が貫通して設けられている。一方、空気孔２９を閉塞する栓体２４は、天蓋１０の底面部１０ｃの中央部分から下方に向かって突出された突起部３０からなる。
【００４９】
図５に示す構成の場合、突起部３０が弾性部材２８の上面に当接されることによって空気孔２９を閉塞することが可能である。したがって、この構成の場合も、天蓋１０を内蓋９から取り外すことによって、空気孔２９に対する突起部３０の当接が解除され、空気孔２９が開放された状態となる。これにより、蓋体３（外蓋８及び内蓋９）を容器本体２から容易に取り外すことが可能となる。
【００５０】
また、上記蓋付き容器１では、例えば空気孔２３の大きさや突起部２５ａの形状等を変更することによって、空気孔２３に対する突起部２５ａの当接する力を調整することができる。これにより、例えば、容器本体２内の内容物が腐敗して容器本体２内の圧力が過剰に上昇した場合でも、外蓋８が外れてしまうほどの荷重が加わる前に、空気孔２９に対する突起部３０の当接が解除されることによって、空気孔２３から容器本体２内の圧力が自動的に開放される構造とすることも可能である。
【００５１】
また、上記蓋付き容器１では、外蓋８に内蓋９が着脱自在に取り付けられた構成となっているが、このような構成に限らず、外蓋８と内蓋９とが一体に形成された構成とすることも可能である。また、容器本体２に対して外蓋８と内蓋９とが別々に取り付けられる構成とすることも可能である。さらに、上記蓋付き容器１では、内蓋９に天蓋１０が着脱自在に取り付けられた構成となっているが、このような構成に限らず、外蓋８に天蓋１０が着脱自在に取り付けられた構成とすることも可能である。
【００５２】
また、本発明は、真空断熱構造を有する容器本体によって保温・保冷機能を持たせた蓋付き容器に好適に適用できるが、上述した開口部が設けられた容器本体と、開口部を開閉する蓋体とを備えた蓋付き容器に対して本発明を幅広く適用することが可能である。
【符号の説明】
【００５３】
１…蓋付き容器  ２…容器本体  ２ａ…開口部  ３…蓋体  ４…外容器  ５…内容器  ６…真空断熱層  ７…段差部  ８…外蓋  ９…内蓋  １０…天蓋  １１…雌ネジ部  １２…雄ネジ部  １３…脱着機構  １４…フック片  １５…スリット  １６…被係止部  １７…回り止め突部  １８…止水パッキン（シール部材）  １９…雌ネジ部  １９ａ，１９ｂ…ネジ山  １９ｃ…係合凹部  ２０…雄ネジ部  ２０ａ，２０ｂ…ネジ山  ２０ｃ…ストッパー  ２０ｄ…係合凸部  ２２…ストッパー機構  ２３…空気孔  ２５…弾性部材  ２５ａ…突起部  ２７…取付孔  ２８…弾性部材  ２９…空気孔  ３０…突起部
【要約】
【課題】容器本体内の圧力が上昇した場合でも、内蓋及び外蓋を容易に且つ安全に取り外すことができる蓋付き容器を提供する。
【解決手段】上部に開口部２ａが設けられた容器本体２と、開口部２ａを開閉する蓋体３とを備え、蓋体３は、容器本体２の外周部に着脱自在に取り付けられる外蓋８と、外蓋８の内側に位置して、開口部２ａから容器本体２の内側に嵌め込まれた状態で開口部２ａを閉塞する内蓋９と、内蓋９に着脱自在に取り付けられると共に、内蓋９の内側に嵌め込まれた状態で外蓋８の上面開口部を覆う天蓋１０と、内蓋９の外周部に位置して、容器本体２と内蓋９との間を密閉するシール部材１８と、天蓋１０の底面部１０ｃに位置して、内蓋９の底面部９ａに設けられた空気孔２３を閉塞する栓体２４とを有する。
【選択図】図４【図１】
0005841220.tif 000002
【図２】
0005841220.tif 000003
【図３】
0005841220.tif 000004
【図４】
0005841220.tif 000005
【図５】
0005841220.tif 000006